(57)【要約】【課題】軽量で容量が小さく、組立及びその備蓄が容易であり、災害時などに大量の利用者が生じてもこれに対応することできる集合型簡易トイレを提供する。【解決手段】下水道直結式又は貯留タンク式の開口したマンホール上に複数の仕切パネル１２、１３の一辺側をマンホール中心に位置づけて略放射状に立設し、隣接する仕切パネル間に扇状に形成される利用空間の中心奥側にそれぞれ小便器１４を配置して集合型簡易トイレ１０を構成する。【選択図】図１
0003183232.tif 000002
【実用新案登録請求の範囲】
【請求項１】
下水道直結式又は貯留タンク式の開口したマンホール上に、複数の仕切パネルの一辺側をマンホール中心に位置づけて略放射状に立設し、隣接する仕切パネル間に扇状に形成される利用空間の中心奥側にそれぞれ小便器を配置したことを特徴とする集合型簡易トイレ。
【請求項２】
開口したマンホール上に覆設される底基板と、前記底基板上に立設されその一端が下水道マンホール中心に位置される複数の仕切パネルと、隣接する前記仕切パネル間の交差部にそれぞれ配置されその水平断面が略菱形状の小便器と、前記小便器の排尿口にその一端が接続され他端が前記マンホール内に配置される排尿管と、を有することを特徴とする集合型簡易トイレ。
【請求項３】
前記仕切パネルにはそれぞれの高さが異なる係止部が設けられ、前記小便器の係止具が前記係止部に着脱されることでその高さ位置が調整可能になっていることを特徴とする請求項１又は２記載の集合型簡易トイレ。
【請求項４】
前記仕切パネルの中央部にスリット状の差込部を備え、二枚の仕切パネルの差込部を互いに組み合わせてクロスさせて各仕切パネル間に利用空間を形成することを特徴とする請求項１〜３のいずれか１項に記載の集合型簡易トイレ。
【考案の詳細な説明】
【技術分野】
【０００１】
本考案は、地震などの災害時や介護、レジャーなどの時に仮設して使用する集合型簡易トイレに関するものである。
【背景技術】
【０００２】
大震災のような災害時や大規模なイベント時などには、多数の被災者などの排便処理に支障が生じることが多くあった。このため、予め備蓄された大量のタンク式簡易トイレを配置したり、既設の下水道マンホールを利用した仮設トイレを構築したりする対策が取られている。たとえば下水道マンホールを利用するものとして、特許文献１（特開２００６−３３４３５２号公報）には下水道マンホールの既存口枠部材に懸架状態に固定して用いる便器付き非常用簡易トイレが開示されている。
また、特許文献２（実開平６-８２１８１号公報）には、４人が同時に用便可能に９０°間隔で四周に４個のタレ受け部を形成し、各タレ受け部の中央に共通の排水口を形成してなる小便器が記載されている。
【先行技術文献】
【特許文献】
【０００３】
【特許文献１】特開２００６−３３４３５２号公報
【特許文献２】実開平６-８２１８１号公報
【考案の概要】
【考案が解決しようとする課題】
【０００４】
しかしながら従来のマンホール設置タイプの簡易トイレとしては、特許文献１に示されるようにマンホール１箇所に対し１人用のものしかなかった。このため、災害時などには多くの人が集中使用して設置数が不足しがちになり、混乱を生じるという欠点があった。また、特許文献２の便器タレ受け部を四周に形成した小便器では、重量が大きく嵩張るために現地での組立や平時における備蓄が困難であり、災害時への対応に支障をきたすという欠点があった。
本考案は前記従来の課題を解決するためになされたもので、軽量で容量が小さく、組立及びその備蓄が容易であり、災害時などに大量の利用者が生じてもこれに対応することできる集合型簡易トイレを提供することを目的とする。
【課題を解決するための手段】
【０００５】
（１）前記課題を解決する本考案の集合型簡易トイレは、下水道直結式又は貯留タンク式の開口したマンホール上に、複数の仕切パネルの一辺側をマンホール中心に位置づけて略放射状に立設し、隣接する仕切パネル間に扇状に形成される利用空間の中心奥側にそれぞれ小便器を配置したことを特徴とする。
【０００６】
（２）本考案の集合型簡易トイレは、開口したマンホール上に覆設される底基板と、前記底基板上に立設されその一端が下水道マンホール中心に位置される複数の仕切パネルと、隣接する前記仕切パネル間の交差部にそれぞれ配置されその水平断面が略菱形状の小便器と、前記小便器の排尿口にその一端が接続され他端が前記マンホール内に配置される排尿管と、を有するように構成されている。
【０００７】
（３）本考案は（１）記載の集合型簡易トイレにおいて、前記仕切パネルにはそれぞれ高さが異なる係止部が設けられ、前記小便器の係止具が前記係止部に着脱されることでその高さ位置が調整可能になっていることを特徴とする。
【０００８】
（４）本考案は（１）〜（３）記載の集合型簡易トイレにおいて、前記仕切パネルの中央部にスリット状の差込部を備え、二枚の仕切パネルの差込部を互いに組み合わせてクロスさせて各仕切パネル間に利用空間を形成するように構成されている。
【考案の効果】
【０００９】
本考案の集合型簡易トイレによれば、開口したマンホール上に複数の仕切パネルを略放射状に立設し、隣接する仕切パネル間に扇状に形成される利用空間の中心奥側にそれぞれ小便器を配置するので、その現地での組立や災害に備えて備蓄が容易であり、一箇所のマンホールに対して複数の利用者が同時に使用でき、災害時などに大量の利用者が生じてもこれに容易に対応することができる。
また、本考案の集合型簡易トイレは、災害時にインフラが止まり、通常の水洗式トイレが使用できなくなった場合の備えとしても利用することができる。近年政令指定都市では、緊急時に簡易トイレを設置するために、下水道直結式又は貯留タンク式のマンホールを公園等に整備がされており、従来のバキュームカーを使用しなくても簡易トイレが設置出来るようになりつつあることから、簡易トイレの利用可能性をさらに高めて、災害への備えを強化することができる。
【図面の簡単な説明】
【００１０】
【図１】本考案の実施例１に係る集合型簡易トイレの斜視図である。
【図２】実施例１の集合型簡易トイレの平面図である。
【図３】実施例１の集合型簡易トイレにおける仕切パネルの正面図である。
【図４】実施例１の集合型簡易トイレにおける底基板の平面図である。
【図５】実施例１の集合型簡易トイレにおける小便器の説明図である。
【図６】実施例１の集合型簡易トイレの小便器における成人設定状態を示す説明図である。
【図７】実施例１の集合型簡易トイレの小便器における子供設定状態を示す説明図である。
【図８】実施例２に係る集合型簡易トイレの平面図である。
【図９】実施例３〜５に係る集合型簡易トイレの平面図である。
【考案を実施するための形態】
【００１１】
本考案の実施形態に係る集合型簡易トイレは、下水道直結式又は貯留タンク式の開口したマンホール上に、複数の仕切パネルの一辺側をマンホール中心に位置づけて略放射状に立設し、隣接する仕切パネル間に扇状に形成される利用空間の中心奥側にそれぞれ小便器を配置するように構成されている。これによって、マンホール上に堅牢な簡易トイレを容易に設置することができ、現地での組立や災害に備えてその備蓄を容易化できる。
さらに、一箇所のマンホールに対して複数の利用者が同時に使用でき、災害時などに大量の利用者が生じてもこれに対応することができる。
また、本考案の集合型簡易トイレは、プラスチックや段ボールなどを素材とすることで軽量化が容易でしかも強度的にも優れた立体構造を形成できる。
さらに、仕切パネルの素材として高強度プラスチックやＦＲＰ、ステンレススチールなどを用いることによって、耐久性が高く長期間繰り返し使用でき、一箇所のマンホールで５人以上でも使用でき、かつ、耐水性が高く水で洗う事が可能な簡易トイレを提供することも可能としている。
【００１２】
本考案の実施形態に係る集合型簡易トイレは、開口したマンホール上に覆設される底基板と、前記底基板上に立設されその一端が下水道マンホール中心に位置される複数の仕切パネルと、隣接する前記仕切パネル間の交差部にそれぞれ配置されその水平断面が略菱形状の小便器と、前記小便器の排尿口にその一端が接続され他端が前記マンホール内に配置される排尿管と、を有する。これによって、その使用時に容易に組立可能で多人数で同時に使用可能な集合型簡易トイレを構成してマンホール上で使用することができるとともに、その備蓄時には狭いスペースの倉庫などでも折り畳んでコンパクトに収納可能とすることもできる。
【００１３】
底基板としては、メラミン樹脂などのプラスチック板、ステンレススチール板、撥水処理された段ボール板などを利用することができ、開口したマンホール上に配置される。
なお、底基板には、小便器に接続される排尿管を挿通させるための開口部や、仕切パネルを固定配置するためのパネル固定部を設けることができる。
【００１４】
仕切パネルとしては、ステンレススチールなどの金属板、メラミン樹脂などのプラスチック板や撥水処理された段ボール板などの略矩形状パネルが挙げられる。その複数の仕切パネルの略矩形状の一辺側がマンホール中心に位置するように放射状に立設配置してパネル間に利用空間を略扇形状となる形成するようになっている。
【００１５】
小便器は、隣接する仕切パネル間の交差部にそれぞれ配置され仕切パネルに近接するようにその水平断面が略菱形状に形成された採尿部であって、ポリカーボネイト樹脂などの硬質プラスチック材やポリエステルなどの軟質プラスチックで製造することができ、倉庫などに保管する際に折り畳んだり、折り重ねたりすることによって大量の集合型簡易トイレをコンパクトに収納することができる。
【００１６】
排尿管は、小便器の排尿口にその一端が接続され、他端が開口したマンホール内に配置される硬質又は軟質のプラスチックチューブや、廃棄処理が容易であり撥水処理された硬質の紙製パイプなどで構成される。
【００１７】
本考案の集合型簡易トイレは、前記仕切パネルにはそれぞれの高さが異なる係止部が設けられ、前記小便器の係止具が前記係止部に着脱されることでその高さ位置が調整可能とすることもできる。
仕切パネル面に高さ調整可能なフックなどの係止部を設けることによって、大人や子供など使用者の身長に合わせて、集合型簡易トイレを設定して、災害地やイベントの人口構成などに応じて、必要とする各小便器の高さ調整をそれぞれ適正に行うことができる。また、雨天時にも使用可能なように簡易天井を設けることもできる。
【００１８】
本考案の集合型簡易トイレは、仕切パネルの中央部にスリット状の差込部を備え、二枚の仕切パネルの差込部を互いに組み合わせてクロスさせて各仕切パネル間に利用空間を形成することを特徴とする。これによって、強度的に優れた立体構造を簡単に構成することができ、堅牢で耐用性、利便性に優れた集合型簡易トイレを提供することができる。
【００１９】
（実施例１）
図示するように、実施例１の集合型簡易トイレ１０は、硬質プラスチック材からなる底基板１１と、一端がマンホール中心に位置される２枚の仕切パネル１２、１３と、仕切パネル間の交差部にそれぞれ配置される小便器１４と、小便器の排尿口１４ａに一端が接続される排尿管１５とを組み上げて構成されている。
底基板１１は開口したマンホール上に覆設され、その基板面に設けられたパネル固定具１６を介して仕切パネル１２、１３がそれぞれ交差状態に立設されている。
【００２０】
メラミン化粧板などからなる仕切パネル１２、１３には、図２に示すように、パネル中央部にそれぞれ上下方向からスリット状の差込部１２ａ、１３ａが設けられており、これら仕切パネル１２、１３の差込部１２ａ、１３ａを互いに上下方向に差し込んでクロスさせることによって底基板１１上にパネル固定具１６を用いて固定立設して、仕切パネル１２、１３間に４つの利用空間が形成されるようになっている。こうして、必要に応じてこれら４つの利用空間の全部又は１〜３箇所にそれぞれ小便器１４を配置して簡易トイレとして利用することができる。
【００２１】
小便器１４は、アクリル樹脂などのプラスチック製やゴム製、撥水処理された紙製などのものである。仕切パネル１２、１３には成人用及び子供用に高さ位置が異なるように設定されたフック状の係止部１２ｂ、１２ｃがそれぞれ配置されている。このように、小便器１４の係止具１４ｂが仕切パネル１２、１３の係止部１２ｂ又は係止部１２ｃのいずれかに着脱されることでその高さ位置が成人用又は子供用とに選択して使用することを可能としている。
【００２２】
ここで図２は、仕切りパネル１２、１３で底基板１１上に分割形成される４つの利用空間のすべてに小便器１４を配置した場合の平面配置図であり、図６、図７はそれぞれ成人用、子供用として便器高さを設定した場合の説明図（立面図、側面図）である。
なお、底基板１１上には、パネル固定具１６の他に排尿管１５をマンホール内に挿通するための管用開口部１１ａが穿孔されている。
【００２３】
なお、本実施例１の集合型簡易トイレ１０においては、２枚の仕切パネル１２、１３が互いに直角となるように等角度で交差させているが、小便器高さのそれぞれ異なるようにした成人用スペースと、子供用スペースにおいても、必要に応じて、その対面角度が大小異なるように交差させて配置することで使い勝手をさらに高めることもできる。例えば成人用スペースではパネル間角度を９０度より大きい１２０度として、子供用スペースでは６０度となるように設定してもよい。
【００２４】
（実施例２）
実施例２の集合型簡易トイレ２０は、図８示すように、底基板２１上に、２枚の仕切パネル２２、２３を交差配置して立設するとともに、仕切パネル２２を介して対面する位置に小便器２４、２５を配置して、これら小便器２４、２５がマンホール中心に位置付けられるようにしている。ここで仕切パネル２３は目隠し板としての機能の他に、立設される仕切パネルを補強する支持板としての機能を有している。
【００２５】
（実施例３、４、５）
図９に示すように、実施例３〜５の集合型簡易トイレ３０、４０、５０は、底基板上にそれぞれ３、５、６枚の仕切パネル３０ａ、４０ａ、５０ａをその中心点がマンホール上に位置するように放射状に配置することで形成される。これら仕切りパネル間に形成される扇形の利用空間には、それぞれ小便器１４が配置されており、それぞれの小便器に配置した排尿管１５を介してマンホール内に排泄液が排出されるようになっている。なお、小便器１４をゴムなどの軟質素材で形成した場合には、容易に変形してパネル面に近接、密着してフック状の係止部に取り付けることができる。
【００２６】
以上説明したように、本実施例の集合型簡易トイレ１０〜５０によれば、下水道直結式又は、貯留タンク式のマンホールの上にメラミン化粧パネル二枚の中央部に差込を設けクロスさせることで使用者の利用スペースを確保し、１箇所のマンホールで最大６人同時に使用できる。かつメラミン化粧パネルの側面に高さ調整可能なフックを設けているので、使用者の身長に合わせることができる。また、雨天時にも使用可能なように簡易天井を一般汎用品で代用することを可能にした。
【００２７】
従来は、緊急時において男子専用トイレはマンホール１箇所に対し１人用しかなかった。これでは、緊急時に多人数の人が使用する場合女子トイレの設置数が不足しがちになる。本出願の簡易トイレを設置することで男子専用トイレの設置数が減り女子専用トイレの設置数を増やすことができる。
【００２８】
本考案の集合型簡易トイレは軽量化が容易でかつ容量が小さく、組立が容易である。さらに、耐久性が高く長期間繰り返し使用でき、１箇所のマンホールで複数人が使用でき、かつ耐水性が高く水で洗うことができる。さらにメラミン化粧パネルの側面に高さ調整可能なフックを設け、使用者の身長に合わせることを可能な利便性に優れた簡易トイレを提供することができる。
【産業上の利用可能性】
【００２９】
本考案の集合型簡易トイレは、簡易トイレを製造販売する産業で利用されるだけでなく、災害時における避難所やイベント会場、介護施設などに設置して有効に利用することができる。
【符号の説明】
【００３０】
１０    実施例１の集合型簡易トイレ
１１    底基板
１１    管用開口部
１２、１３    仕切パネル
１２ａ、１３ａ    差込部
１２ｂ、１３ｃ    係止部
１４    小便器
１４ａ    排尿口
１４ｂ    係止具
１５    排尿管
１６    パネル固定具
２０    実施例２の集合型簡易トイレ
２１  底基板
２２、２３    仕切パネル
２４    小便器
３０    実施例３の集合型簡易トイレ
３０ａ    仕切パネル
４０    実施例４の集合型簡易トイレ
４０ａ    仕切パネル
５０    実施例５の集合型簡易トイレ
５０ａ    仕切パネル
【図１】
0003183232.tif 000003
【図２】
0003183232.tif 000004
【図３】
0003183232.tif 000005
【図４】
0003183232.tif 000006
【図５】
0003183232.tif 000007
【図６】
0003183232.tif 000008
【図７】
0003183232.tif 000009
【図８】
0003183232.tif 000010
【図９】
0003183232.tif 000011